(57)【要約】【課題】本発明は、機器管理情報を収集して所定のグラフ形式で記録出力して機器管理を容易かつ適切に行うことのできる画像形成装置に関する。【解決手段】デジタル複写装置１は、操作部１１０の指示に応じて、内部設定や機器動作条件、機器利用状態を示す所定のパラメータ群の現在値を管理データとして収集して、当該収集した管理データを収集日時情報とともにメモリユニット１２６に保存し、操作部１１０の指示に応じて、メモリユニット１２６に保存した全ての管理データを、所定のグラフ形式（例えば、折れ線グラフ形式）で、各パラメータ毎の時系列変化を示すグラフ画像に変換して、当該グラフ画像を画像書込部１２２で転写紙７１に記録出力する。したがって、デジタル複写装置１が単体で管理データを利用でき、保守・管理の質及び効率を安価に向上させることができる。【選択図】          図４
2005169923.tif 000002
【特許請求の範囲】
【請求項１】
画像データに基づいて画像を用紙に記録出力する画像形成装置において、収集保存指示手段の指示に応じて、内部設定や機器動作条件、機器利用状態を示す所定のパラメータ群の現在値を管理データとして収集して、当該収集した管理データを収集日時情報とともに不揮発性メモリに保存し、グラフ作成・印刷指示手段の指示に応じて、前記不揮発性メモリに保存した全ての管理データを、所定のグラフ形式で、前記各パラメータ毎の時系列変化を示すグラフ画像に変換して、当該グラフ画像を用紙に記録出力することを特徴とする画像形成装置。
【請求項２】
前記画像形成装置は、前記不揮発性メモリに収集保存した前記管理データのうち、グラフ化して記録出力する管理データの抽出条件を指示するデータ抽出条件指示手段を備え、前記不揮発性メモリに収集保存した前記管理データのうち、前記データ抽出条件指示手段で指定された抽出条件に応じた管理データを抽出し、当該抽出した管理データのみを前記グラフ画像に変換して、当該グラフ画像を用紙に記録出力することを特徴とする請求項１記載の画像形成装置。
【請求項３】
前記画像形成装置は、前記グラフの形式を指定するグラフ形式指定手段を備え、前記管理データを当該グラフ形式指定手段で指定されたグラフ形式で前記グラフ画像に変換して、当該グラフ画像を用紙に記録出力することを特徴とする請求項１または請求項２記載の画像形成装置。
【発明の詳細な説明】
【技術分野】
【０００１】
本発明は、画像形成装置に関し、詳細には、管理データを収集して所定のグラフ形式で記録出力して、機器管理を容易かつ適切に行える画像形成装置に関する。
【背景技術】
【０００２】
複写装置、ファクシミリ装置、プリンタ等の画像形成装置においては、その保守・管理を適切に行うことが、高品質な画像形成を行う上で重要である。
【０００３】
このような画像形成装置の保守・管理を適切に行うために、従来から、複数の画像形成装置とサービスセンタとを公衆回線網を介して接続した遠隔画像形成装置管理システムがあり、このような遠隔画像形成装置管理システムとしては、不特定多数のユーザ（顧客）のオフィス等に設置された複数の画像形成装置をデータ通信装置及び公衆回線網を利用して、遠隔管理センタ側のサーバに接続している。
【０００４】
そして、遠隔管理センタのサーバによって複数の画像形成装置を集中的に管理することにより、各画像形成装置の管理情報を集計したり、その管理情報を画像形成装置のメンテナンス等に利用したりしている。
【０００５】
ところが、このような遠隔画像形成装置管理システムにおいて、顧客が画像形成装置の使用中にトラブル（異常）に気づいた場合、メーカのサービスセンタ（遠隔管理センタ）に電話してトラブルの状況を説明し、それに対するサービスセンタ側からの回答により顧客自身がトラブルを解消できないことが判った場合に改めて修理の依頼を行なっているのが現状であり、そのトラブルを迅速に解消することができなかった。
【０００６】
そこで、本出願人は、先に、自己診断機能により異常の発生の有無を検知して、事前警告が必要な状態であるか否かを判断し、自己診断機能により異常の発生が検知されているか、事前警告が必要な状態であると、公衆回線網を介して自己診断情報または事前警告情報である遠隔通報データをサービスセンタに送信し、サービスセンタが、複数の画像形成装置のいずれかから送信された遠隔通報データを受信すると、受信された遠隔通報データを各画像形成装置別に蓄積手段に蓄積して、蓄積手段に蓄積された遠隔通報データを解析して、画像形成装置の異常内容を判断し、判断された異常内容に対応する処置を行なうとともに、当該行なった処置方法を処置方法蓄積手段に蓄積して、上記解析結果に基づいて各画像形成装置毎の特性を照合して段階的に故障の予知を行ない、当該予知のレベルに対応する遠隔通報データあるいは上記処置方法の履歴レポートを作成する遠隔画像形成装置管理システムを提案している（特許文献１参照）。
【０００７】
そして、この従来の遠隔画像形成装置管理システムでは、各画像形成装置の管理情報をサービスセンタである遠隔管理センタのサーバが管理し、必要な管理レポートも遠隔管理センタのサーバが作成する。
【０００８】
【特許文献１】特開平１１−２０２６９９号公報
【発明の開示】
【発明が解決しようとする課題】
【０００９】
しかしながら、上記従来技術にあっては、集積された画像形成装置の管理情報をサービスセンタである遠隔管理センタのサーバが管理し、必要な管理レポートも遠隔管理センタのサーバが作成しているため、データ解析して、画像形成装置の管理を行うためには、必ず通信回線の施設が前提条件となり、利用性が悪いという問題があった。
【００１０】
そこでは、通信回線を施設することのできない画像形成装置に対するデータ集積及び解析方法が要望されていた。
【００１１】
そこで、本発明は、機器のデータ解析に必要な情報となる機器内部のパラメータを管理データとして採取及び保存し、保存した管理データを時系列の変化を示すグラフとして記録出力することにより、保守・管理に有用な情報を通信回線やネットワーク接続されていなくても、機器単体で管理データを利用できるようにして、保守・管理を適切かつ効率的に行うことのできる画像形成装置を提供することを目的としている。
【００１２】
具体的には、請求項１記載の発明は、収集保存指示手段の指示に応じて、内部設定や機器動作条件、機器利用状態を示す所定のパラメータ群の現在値を管理データとして収集して、当該収集した管理データを収集日時情報とともに不揮発性メモリに保存し、グラフ作成・印刷指示手段の指示に応じて、不揮発性メモリに保存した全ての管理データを、所定のグラフ形式で、各パラメータ毎の時系列変化を示すグラフ画像に変換して、当該グラフ画像を用紙に記録出力することにより、通信回線・ネットワーク接続を用いることなく、画像形成装置内部の変化を明確にし、機器単体で管理データを利用できるようにして、保守・管理の質及び効率を安価に向上させる画像形成装置を提供することを目的としている。
【００１３】
請求項２記載の発明は、不揮発性メモリに収集保存した管理データのうち、グラフ化して記録出力する管理データの抽出条件を指示するデータ抽出条件指示手段を設け、不揮発性メモリに収集保存した管理データのうち、データ抽出条件指示手段で指定された抽出条件に応じた管理データを抽出し、当該抽出した管理データのみをグラフ画像に変換して、当該グラフ画像を用紙に記録出力することにより、グラフ化する管理データとして必要最小限の管理データのみ抽出して、個々の機器の特性に応じたデータ収集を行い、保守・管理に対する管理データとしての有効性を高めるとともに、保守・管理の質及び効率をより一層安価に向上させる画像形成装置を提供することを目的としている。
【００１４】
請求項３記載の発明は、グラフの形式を指定するグラフ形式指定手段を設け、管理データを当該グラフ形式指定手段で指定されたグラフ形式でグラフ画像に変換して、当該グラフ画像を用紙に記録出力することにより、個々の管理データの特性に応じたグラフ化を行い、保守・管理に対する管理データとしての有効性を高めるとともに、保守・管理の質及び効率をより一層向上させる画像形成装置を提供することを目的としている。
【課題を解決するための手段】
【００１５】
請求項１記載の発明の画像形成装置は、画像データに基づいて画像を用紙に記録出力する画像形成装置において、収集保存指示手段の指示に応じて、内部設定や機器動作条件、機器利用状態を示す所定のパラメータ群の現在値を管理データとして収集して、当該収集した管理データを収集日時情報とともに不揮発性メモリに保存し、グラフ作成・印刷指示手段の指示に応じて、前記不揮発性メモリに保存した全ての管理データを、所定のグラフ形式で、前記各パラメータ毎の時系列変化を示すグラフ画像に変換して、当該グラフ画像を用紙に記録出力することにより、上記目的を達成している。
【００１６】
この場合、例えば、請求項２に記載するように、前記画像形成装置は、前記不揮発性メモリに収集保存した前記管理データのうち、グラフ化して記録出力する管理データの抽出条件を指示するデータ抽出条件指示手段を備え、前記不揮発性メモリに収集保存した前記管理データのうち、前記データ抽出条件指示手段で指定された抽出条件に応じた管理データを抽出し、当該抽出した管理データのみを前記グラフ画像に変換して、当該グラフ画像を用紙に記録出力するものであってもよい。
【００１７】
また、例えば、請求項３に記載するように、前記画像形成装置は、前記グラフの形式を指定するグラフ形式指定手段を備え、前記管理データを当該グラフ形式指定手段で指定されたグラフ形式で前記グラフ画像に変換して、当該グラフ画像を用紙に記録出力するものであってもよい。
【発明の効果】
【００１８】
請求項１記載の発明の画像形成装置によれば、収集保存指示手段の指示に応じて、内部設定や機器動作条件、機器利用状態を示す所定のパラメータ群の現在値を管理データとして収集して、当該収集した管理データを収集日時情報とともに不揮発性メモリに保存し、グラフ作成・印刷指示手段の指示に応じて、不揮発性メモリに保存した全ての管理データを、所定のグラフ形式で、各パラメータ毎の時系列変化を示すグラフ画像に変換して、当該グラフ画像を用紙に記録出力するので、通信回線・ネットワーク接続を用いることなく、画像形成装置内部の変化を明確にすることができ、機器単体で管理データを利用できるようにして、保守・管理の質及び効率を安価に向上させることができる。
【００１９】
請求項２記載の発明の画像形成装置によれば、不揮発性メモリに収集保存した管理データのうち、グラフ化して記録出力する管理データの抽出条件を指示するデータ抽出条件指示手段を設け、不揮発性メモリに収集保存した管理データのうち、データ抽出条件指示手段で指定された抽出条件に応じた管理データを抽出し、当該抽出した管理データのみをグラフ画像に変換して、当該グラフ画像を用紙に記録出力するので、グラフ化する管理データとして必要最小限の管理データのみ抽出して、個々の機器の特性に応じたデータ収集を行うことができ、保守・管理に対する管理データとしての有効性を高めることができるとともに、保守・管理の質及び効率をより一層安価に向上させることができる。
【００２０】
請求項３記載の発明の画像形成装置によれば、グラフの形式を指定するグラフ形式指定手段を設け、管理データを当該グラフ形式指定手段で指定されたグラフ形式でグラフ画像に変換して、当該グラフ画像を用紙に記録出力するので、個々の管理データの特性に応じたグラフ化を行うことができ、保守・管理に対する管理データとしての有効性を高めることができるとともに、保守・管理の質及び効率をより一層向上させることができる。
【発明を実施するための最良の形態】
【００２１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２２】
図１〜図１０は、本発明の画像形成装置の第１実施例を示す図であり、図１は、本発明の画像形成装置の一実施例を適用したデジタル複写装置１の正面概略構成図である。なお、本実施例は、請求項１に対応するものである。
【００２３】
図１において、デジタル複写装置１は、本体筐体１０の上部に、ＡＤＦ（自動原稿搬送装置）２０が配設されており、本体筐体１０の内部には、上部から読取ユニット３０、書込ユニット４０、画像形成ユニット５０、用紙搬送ユニット６０、給紙ユニット７０及び両面給紙ユニット８０等が収納されている。また、デジタル複写装置１は、本体筐体１０の側面に、フィニッシャー９０が取り付けられている。
【００２４】
ＡＤＦ２０は、原稿台２１、給送ローラ２２、給送ベルト２３、排送ローラ２４及び原稿セット検知センサ２５等を備えており、給送ベルト２３の下方であって、本体筐体１０の上面部には、後述する読取ユニット３０のコンタクトガラス３１が配設されている。
【００２５】
ＡＤＦ２０は、原稿台２１に原稿の画像面を上にしてセットされた原稿束を、操作部１１０（図２参照）上のスタートキーであるプリントキー１１４（図２参照）が押下されると、最下段の原稿から給送ローラ２２、給送ベルト２３によってコンタクトガラス３１上の所定の読取位置に給送し、読取ユニット３０によってコンタクトガラス３１上の原稿の画像の読み取りが完了すると、当該読み取りの完了した原稿を、給送ベルト２３及び排送ローラ２４で排出する。
【００２６】
ＡＤＦ２０は、原稿セット検知センサ２５が原稿台２１上に次の原稿があることを検知すると、前原稿と同様にコンタクトガラス３１上に給送して、読取ユニット３０による読み取りが完了すると、上記同様に、当該読み取りの完了した原稿を、給送ベルト２３及び排送ローラ２４で排出する。ＡＤＦ２０は、給送ローラ２２、給送ベルト２３及び排送ローラ２４を、図示しないモータで駆動する。
【００２７】
読取ユニット３０は、上記原稿を載置するコンタクトガラス３１と光学走査系で構成されており、光学走査系には、露光ランプ３２、第１ミラー３３、第２ミラー３４、第３ミラー３５、レンズ３６、ＣＣＤイメージセンサ３７等で構成されている。露光ランプ３２及び第１ミラー３３は、図示しない第１キャリッジ上に固定され、第２ミラー３４及び第３ミラー３５は、図示しない第２キャリッジ上に固定されている。読取ユニット３０は、原稿を読み取るときには、図示しないスキャナ駆動モータで第１キャリッジと第２キャリッジを駆動するが、光路長が変わらないように、第１キャリッジと第２キャリッジを２対１の相対速度で機械的に移動させて、コンタクトガラス３１上の原稿を走査し、原稿の画像を、ＣＣＤイメージセンサ３７で読み取って、電気信号に変換する。この読取ユニット３０は、レンズ３６及びＣＣＤイメージセンサ３７を図１の左右方向に移動させることで、画像倍率を変化させることができ、指定された倍率に対応して、レンズ３６及びＣＣＤイメージセンサ３７の左右方向の位置を設定する。上記ＡＤＦ２０及び読取ユニット３０は、全体として読取手段として機能している。
【００２８】
書込ユニット４０は、レーザ出力部４１、結像レンズ４２、ミラー４３等を備えており、レーザ出力部４１の内部には、図示しないが、レーザ光源であるレーザダイオード及びモータによって高速で定速回転する回転多面鏡（ポリゴンミラー）等が収納されている。
【００２９】
書込ユニット４０は、レーザ出力部４１で、レーザダイオードから照射されるレーザ光を、定速回転するポリゴンミラーで偏光して結像レンズ４２に照射し、このレーザ光を結像レンズ４２を通してミラー４３に照射する。ミラー４３は、入射されるレーザ光を、後述する画像形成ユニット５０の感光体５１方向に反射して、感光体５１の面上に集光結像させる。
【００３０】
この感光体５１に照射される偏光されたレーザ光は、感光体５１の回転する方向と直行する方向（主走査方向）に露光走査され、後述する画像処理部１４０（図６参照）のセレクタ１４５から出力された画像信号のライン単位の記録を行う。
【００３１】
書込ユニット４０は、感光体５１の回転速度と記録密度に対応した所定の周期で主走査を繰り返すことによって、感光体５１の面上に画像（静電潜像）を形成する。この静電潜像は、感光体５１の面上に画像を光情報に変換して照射することにより生じる電位分布である。
【００３２】
そして、図示しないが、感光体５１の一端近傍のレーザビームの照射される位置に、主走査同期信号を発生するビームセンサが配置されており、この主走査同期信号をもとに主走査方向の画像記録開始タイミングの制御及び後述する画像信号の入出力を行うための制御信号の生成を行う。
【００３３】
画像形成ユニット５０は、感光体５１、現像部５２、搬送ベルト５３、定着部５４及び排紙部５５等を備えており、感光体５１に現像部５２と搬送ベルト５３が接触している。この感光体５１と搬送ベルト５３との間に、用紙搬送ユニット６０から給紙ユニット７０に収納されている転写紙７１が搬送されてくる。
【００３４】
画像形成ユニット５０は、読取ユニット３０で読み込まれた原稿の画像データまたは受信した画像データに基づいて変調されたレーザ光が、書込ユニット４０から感光体５１に書き込まれて静電潜像が形成され、静電潜像の形成された感光体５１の表面に、現像部５２からトナーを供給して、トナー像が形成される。そして、画像形成ユニット５０は、転写紙７１を感光体５１の回転と等速で搬送ベルト５３で搬送しながら、感光体５１上のトナー像を転写紙７１に転写し、トナー像の転写された転写紙７１を搬送ベルト５３で定着部５４に搬送する。
【００３５】
定着部５４は、トナー画像の転写された転写紙７１を搬送しつつ加熱・加圧して、転写紙７１上のトナー画像を転写紙７１に定着させ、トナー画像の定着の完了した転写紙７１を排紙部５５に送り出す。
【００３６】
排紙部５５には、両面給紙ユニット８０が連結されており、両面給紙ユニット８０は、両面入紙搬送路８１、反転部８２及び両面搬送路８３等を備えている。両面給紙ユニット８０は、両面記録モード時に、片面に画像の形成された転写紙７１を両面入紙搬送路８１で反転部８２に導入・ストックして、反転部８２から両面搬送路８３に搬送することで転写紙７１を反転させ、反転させた転写紙７１を、再度、両面搬送路８３から感光体５１と搬送ベルト５３の間に搬送して、反転させた転写紙７１に再度画像形成する。
【００３７】
フィニッシャ−９０は、分岐偏向板９１、排紙搬送ローラ９２、送り出しローラ９３、排紙トレイ９４、ステープラ搬送ローラ９５、ステープラ９６、ステープラ送り出しローラ９７、ステープルトレイ９８、ジョガー９９及びステープル完了排紙トレイ１００等を備えている。フィニッシャ−９０は、本体筐体１０内の排紙部５５から本体筐体１０外に排出された転写紙７１を、分岐偏向板９１の切り換え操作で、送り出しローラ９３方向と、ステープル処理部であるステープラ搬送ローラ９５方向とに切り換え、分岐偏向板９１が上方向に切り換えることで、転写紙７１を排紙搬送ローラ９２を経由して送り出しローラ９３から排紙トレイ９４上に排紙する。また、フィニッシャ−９０は、分岐偏向板９１を下方向に切り換えることで、転写紙７１を排紙搬送ローラ９２、ステープラ搬送ローラ９５及びステープル送り出しローラ９７を経由して、ステープルトレイ９８上に搬送して載置し、ステープルトレイ９８上に積載された転写紙を、一枚排紙される毎に紙揃え用のジョガー９９によって、紙端面を揃えて、一部のコピー完了と共にステープラ９６によって綴じる。フィニッシャ−９０は、ステープラ９６で綴じた転写紙群を自重によって、ステープル完了排紙トレイ１００に収納させる。
【００３８】
一方、通常の排紙トレイ９４は、前後に移動可能な排紙トレイであり、原稿毎、あるいは、画像メモリによってソーティングされたコピー部毎に、前後に移動して、簡易的に排出されてくる転写紙７１を仕分けする。
【００３９】
上記給紙ユニット７０は、３つの給紙トレイ７２、７３、７４を備えており、各給紙トレイ７２〜７４には、それぞれ複数枚の用紙サイズの異なる転写紙７１が収納可能である。各給紙トレイ７２〜７４には、それぞれ送出部７５〜７７が設けられており、各送出部７５〜７７は、各給紙トレイ７２〜７４内に収納されている転写紙７１を１枚ずつ分離して用紙搬送ユニット６０に送り出す。
【００４０】
用紙搬送ユニット６０は、送出部７５〜７７により各給紙トレイ７２〜７４から送り出された転写紙７１を画像形成ユニット５０の感光体５１と搬送ベルト５３との間に搬送する。
【００４１】
画像形成ユニット５０は、この搬送されてきた転写紙７１に感光体５１上に形成したトナー画像を転写し、定着部５４で転写紙７１上のトナー画像を定着させる。
【００４２】
なお、上記感光体５１、搬送ベルト５３、定着部５４、排紙部５５、現像部５２は、図示しないメインモータによって駆動され、給紙ユニット７０の各送出部７５〜７７は、このメインモータの駆動が各々図示しない給紙クラッチによって伝達されて駆動される。また、用紙搬送ユニット６０は、メインモータの駆動が図示しない中間クラッチによって伝達されて駆動される。
【００４３】
デジタル複写装置１は、図２に示す操作部（収集保存指示手段・グラフ作成・印刷指示手段）１１０を備えており、操作部１１０には、液晶タッチパネル１１１、テンキー１１２、クリア／ストップキー１１３、プリントキー１１４、モードクリアキー１１５及び初期設定キー１１６等が設けられている。液晶タッチパネル１１１には、機能キー１１７及び部数やデジタル複写装置１の状態を示すメッセージ等が表示されとともに、後述する機器管理処理で機器管理者が専用に表示させる機器管理者専用画面を表示する。
【００４４】
上記液晶タッチパネル１１１は、例えば、図３に示すように、表示を行い、例えば、液晶タッチパネル１１１の表示領域の左上部には、「コピーできます」、「お待ちください」等のメッセージを表示するメッセージエリア、その右側には、セットした枚数を表示するコピー枚数表示エリア、その下側に、機能キー１１７の表示領域である機能キーエリアが設けられている。機能キーエリアに表示する機能キー１１７としては、例えば、画像濃度を自動的に調整する自動濃度キー、転写紙を自動的に選択する自動用紙選択キー、コピーを一部ずつページ順に揃える処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、綴じ代モード等を設定する消去／移動キー、スタンプや日付やページ等の印字を設定する印字キーであり、選択されているモードはキーが網掛け表示される。
【００４５】
そして、液晶タッチパネル１１１は、オペレータが液晶タッチパネル１１１に表示された機能キー１１７にタッチすることで、選択された機能を示す機能キー１１７が黒く反転する。また、機能の詳細を指定する場合（例えば、変倍であれば、変倍値等）は、機能キー１１７にタッチすることで、詳細機能の設定画面が表示される。このように、液晶タッチパネル１１１は、ドット表示器を使用しているため、そのときの最適な表示をグラフィカルに行うことができる。
【００４６】
このデジタル複写装置１は、そのハードブロック構成を、図４のように示すことができ、上記読取ユニット３０に対応する画像読取部１２１、上記書込ユニット４０に対応する画像書込部１２２、システムコントローラ１２３、上記操作部１１０、時計部１２４、遠隔診断部（ＣＳＳ）１２５及びメモリユニット１２６等を備えている。画像読取部１２１、画像書込部１２２及びメモリユニット１２６は、データバス１２７で接続されているとともに、システムバス１２８で接続されており、システムバス１２８は、さらに、システムコントローラ１２３及び時計部１２４に接続されている。
【００４７】
画像読取部１２１は、上記読取ユニット３０に対応するもので、露光ランプ３２から光を原稿に照射して、その反射光をＣＣＤイメージセンサ３７で電気信号に変換した後、必要な画像処理を行う。この必要な画像処理は、ＣＣＤイメージセンサ３７の出力するアナログの電気信号を２値または多値の画像データに変換する量子化処理、原稿を照射する露光ランプ３２の照射ムラやＣＣＤイメージセンサ３７の感度ばらつきを補正するシェーディング補正、光学系によるボケを補正するＭＴＦ補正、画像の読みとり密度を変化させて読み取った画像データを用いてデータ補間する変倍処理等の各種処理である。
【００４８】
画像書込部１２２は、上記書込ユニット４０に対応するもので、電気信号で送られた画像イメージ（画像データ）を上述のように、電子写真方式で転写紙７１に画像形成する。
【００４９】
システムコントローラ１２３は、ＣＰＵ（Central Processing Unit ）１２３ａを備え、デジタル複写装置１の各部を制御して、デジタル複写装置１としての基本処理を実行する。例えば、システムコントローラ１２３は、複写モードを実行する上で、画像書込部１２２で画像形成するために、紙搬送処理、電子写真プロセス処理、異常状態や給紙カセット状態（紙の有無等）等の機内監視及び画像読取部１２１で画像を読み取るためにスキャナ動作や光源のＯＮ／ＯＦＦ等を制御す。特に、システムコントローラ１２３は、デジタル複写装置１の搭載する複数のアプリケーション、例えば、コピー、ファックス、プリンタ、スキャナ等のアプリケーションを実行するに際して、複数のアプリケーションから共有される機能ユニット単位である資源やリソースを割り当てたり、その動作を制御する。
【００５０】
メモリユニット１２６は、圧縮ブロック１２６ａ、ＤＲＡＭ（Dynamic Random Access Memory）ブロック１２６ｂ及びＤＭＡ（Direct Memory Access）ブロック１２６ｃを備えているが、メモリ機能を実現する場合のみ必要であって、通常のコピー機能を実現する場合には、特に必要ではない。時計部１２４は、発振器、分周器等を備え、現在時刻を計時する。
【００５１】
遠隔診断部１２５は、遠隔診断、すなわち、デジタル複写装置１にエラーが発生した場合に自動的にデジタル複写装置１のサービスセンタに通報したり、デジタル複写装置１の実行状態や使用状態を遠隔地からモニタするものであり、このような機能を必要とする場合のみ装着される。
【００５２】
メモリユニット１２６のＤＲＡＭブロック１２６ｂは、画像読取部１２１で読み取った原稿の画像信号（画像データ）や外部接続されているコンピュータ等から受信した画像データを記憶し、システムコントローラ１２３からの要求に応じて、ＤＲＡＭ１２６ｂに記憶している画像データを画像書込部１２２に転送する。また、圧縮ブロック１２６ａは、ＭＨ（Modified Huffman）、ＭＲ（Modufied Relative element address designate ）、ＭＭＲ（Modified ＭＲ ）方式等の圧縮機能を備えて、メモリ（ＤＲＡＭブロック１２６ｂ）の使用効率や回線での転送効率の向上を図るために、画像読取部１２１の読み取った画像の画像データを圧縮し、また、画像書込部１２２で画像の書き込みを行う際に、読み出すアドレスとその方向を変えることで、画像の回転を行う。
【００５３】
なお、図４では、画像読取部１２１、画像書込部１２２、メモリユニット１２６、遠隔診断部１２５の制御をシステムコントローラ１２３のＣＰＵ１２３ａのみで行っているが、これに限るものではなく、例えば、図５に示すように、画像読取部１２１、画像書込部１２２、メモリユニット１２６にそれぞれＣＰＵ１２１ａ、１２２ａ、１２８ｄを設け、システムコントローラ１２３から各ＣＰＵ１２１ａ、１２２ａ、１２８ｄへのコマンドを制御信号線で伝達するようにしてもよい。また、メモリユニット１２６は、メモリ機能を実現する場合にのみ必要であり、通常のコピー機能を実現するだけであれば、メモリユニット１２６を設けなくてもよい。
【００５４】
そして、デジタル複写装置１は、上記読取ユニット３０である画像読取部１２１と書込ユニット４０である画像書込部１２２は、図６に示すように、画像処理部１４０として回路構成され、画像処理部１４０は、上記ＣＣＤイメージセンサ３７、Ａ／Ｄコンバータ１４１、シェーディング補正部１４２、ＭＴＦ・γ補正部１４３、印字合成部１４４、セレクタ１４５、印字合成部１４６、変倍部１４７、印字イメージデータ発生部１４８、メモリコントローラ１４９、画像メモリ１５０、ＳＣＳＩ（Small Computer System Interface ）ドライバ１５１、Ｉ／Ｏポート１５２、ＣＰＵ１５３、ＲＯＭ（Read Only Memory）１５４及びＲＡＭ（Random Access Memory）１５５等を備えている。図６において、アドレス、データは、画像データを示しており、ＣＰＵ１５３に接続されるデータ、アドレスは図示していない。
【００５５】
ＣＣＤイメージセンサ３７には、露光ランプ３２から照射されて原稿面で反射された反射光がレンズ３６を通して結像され、ＣＣＤイメージセンサ３７は、当該結像される光を受光して光電変換して、Ａ／Ｄコンバータ１４１に出力する。Ａ／Ｄコンバータ１４１は、ＣＣＤイメージセンサ３７から入力されるアナログの電気信号をデジタル信号に変換し、シェーディング補正部１４２は、デジタル信号に変換された画像信号にシェーディング補正を施す。ＭＴＦ・γ補正部１４３は、シェーディング補正の施された画像データに対してＭＴＦ補正、γ補正等の画像補正処理を行い、印字合成部１４４は、画像補正処理の行われた画像データに印字イメージデータ発生部１４８からの印字イメージデータを合成して、セレクタ１４５に出力する。
【００５６】
印字イメージデータ発生部１４８は、システムコントローラ１２３のＣＰＵ１２３ａからアドレスとデータが入力され、当該アドレスとデータに基づいて印字イメージデータを発生させて、印字合成部１４４または印字合成部１４６に出力する。
【００５７】
セレクタ１４５は、画像信号（画像データ）の送り先を、印字合成部１４６とメモリコントローラ１４９とに切り換えて送り出し、画像形成する場合には、セレクタ１４９は、画像信号を印字合成部１４６に送り出して、印字合成部１４６で印字イメージデータ発生部１４８から入力される印字イメージデータと合成して、変倍部１４７に送る。変倍部１４７は、指定されたあるいは必要な変倍率に合わせて画像信号を拡大・縮小して書込ユニット４０に送り、書込ユニット４０は、入力される画像データ（画像信号）に基づいてレーザ出力部４１のレーザダイオードの出射するレーザ光を変調して、感光体５１に静電潜像を書き込む。
【００５８】
メモリコントローラ１４９とセレクタ１４５との間は、双方向に画像信号を入出力可能となっており、図６には明示していないが、読取ユニット（画像読取部１２１）３０、すなわち、ＣＣＤ３７から入力される画像データ以外にも、例えば、ネットワークに接続されたコンピュータ等の外部から供給される画像データも処理できるように、複数のデータの入出力の選択を行う機能を有している。
【００５９】
ＲＯＭ１５４は、デジタル複写装置１の基本プログラムや後述する管理データ制御処理プログラム等の各種プログラム及びこれらの各プログラムを実行するのに必要な各種データを格納しており、ＲＡＭ１５５は、ＣＰＵ１５３の処理の実行に必要な各種データを一時記憶する。ＣＰＵ１５３は、ＲＯＭ１５４内のプログラムに基づいてデジタル複写装置１の各部を制御し、デジタル複写装置１としての基本処理を実行するとともに、後述する管理データ制御処理を実行し、例えば、メモリコントローラ１４９等への設定や画像読取部１２１、画像書込部１２２等の制御を行う。また、ＣＰＵ１５３は、メモリコントローラ１４９を介して画像メモリ１５０へのデータの書き込み及び画像メモリ１５０からのデータの読み出しを行う。
【００６０】
そして、上記メモリコントローラ１４９と画像メモリ１５０は、図７のように示すことができ、メモリコントローラ１４９は、入力データセレクタ１６１、画像合成部１６２、１次圧縮／伸長部１６３、出力データセレクタ１６４及び２次圧縮／伸長部１６５等の各ブロックを備えており、各ブロックへの制御データの設定は、図６に示したＣＰＵ１５３により行われる。
【００６１】
画像メモリ１５０は、１次記憶部１５０ａと２次記憶部１５０ｂを備えており、１次記憶部１５０ａは、入力画像データの転送速度に略同期してデータの書き込み及び画像出力時のデータの読み出しを高速に行えるように、例えば、ＤＲＡＭ等の高速アクセスが可能なメモリが用いられている。また、１次記憶部１５０ａは、処理を行う画像データの大きさにより複数のエリアに分割して画像データの入出力を同時に実行可能な構成（メモリコントローラ１４９とのインターフェース部）となっている。例えば、１次記憶部１５０ａの各分割したエリアに画像データの入力と出力をそれぞれ並列に実行可能とするために、メモリコントローラ１４９とのインターフェースが、リード用とライト用の二組のアドレス・データ線で接続されており、例えば、メモリエリア１に画像を入力(ライト)する間に、メモリエリア２から画像データを出力(リード)することができる。
【００６２】
２次記憶部１５０ｂは、入力された画像データの合成及びソーティングを行うためにデータを保存する大容量のメモリである。１次記憶部１５０ａと２次記憶部１０５ｂは、共に高速アクセス可能な素子を使用すると、１次記憶部１５０ａと２次記憶部１０５ｂの区別なくデータの処理を行うことができ、制御も比較的簡単になるが、ＤＲＡＭ等の素子は高価であるため、２次記憶部１５０ｂとしては、アクセス速度はそれほど速くないが、安価で大容量の記録媒体を使用し、入出力データの処理を１次記憶部１５０ａを介して行う構成としてもよい。画像メモリ１５０をこのようなメモリ構成とすると、大量の画像データの入出力、保存、加工等の処理が可能なデジタル複写装置１を安価かつ比較的簡単な構成で実現することができる。
【００６３】
メモリコントローラ１４９は、画像入力（画像メモリ１５０への画像データの保存）時、入力データセレクタ１６１が、複数のデータの内から、画像メモリ１５０（１次記憶部１５０ａ）への書き込みを行う画像データの選択を行って画像合成部１６２に供給し、画像合成部１６２が、既に画像メモリ１５０に保存されている画像データとの合成を行って、１次圧縮／伸長部１６３または出力データセレクタ１６４に出力する。
【００６４】
１次圧縮／伸長部１６３は、画像合成部１６２の処理した画像データを圧縮して、圧縮後のデータを画像メモリ１５０の１次記憶部１５０ａに書き込む。
【００６５】
画像メモリ１５０は、１次記憶部１５０ａに書き込まれたデータを、必要に応じて２次圧縮／伸長部１６５で更に圧縮を行った後、２次記憶部１５０ｂに保存する。
【００６６】
メモリコントローラ１４９は、画像出力（画像メモリ１５０からの読み出し）時、１次記憶部１５０ａに記憶されている画像データを読み出して、出力対象となる画像が１次記憶部１５０ａに格納されている場合には、１次圧縮／伸長部１６３で１次記憶部１５０ａの画像データの伸長を行い、伸長後の画像データと、画像合成部１６２で伸長後の画像データと入力画像データとの画像合成を行った後の画像データと、を出力データセレクタ１６４で選択して、出力する。
【００６７】
画像合成部１６２は、１次記憶部１５０ａの画像データと、入力画像データとの合成（画像データの位相調整機能を有する）、合成後の画像データの出力先の選択（画像出力、１次記憶部１５０ａへのライトバック、両方の出力先への同時出力も可能）等の処理を行う。
【００６８】
メモリコントローラ１４９は、画像出力時に出力対象となる画像が１次記憶部１５０ａに格納されていない場合には、２次記憶部１５０ｂに格納されている出力対象の画像データを２次圧縮／伸長部１６５で伸長し、伸長後の画像データを１次記憶部１５０ａに書き込んでから上記同様の画像出力動作を行う。
【００６９】
次に、本実施例の作用を説明する。本実施例のデジタル複写装置１は、管理データを不揮発性のメモリユニット１２６に格納し、機器管理者が操作部１１０の液晶タッチパネル１１１の操作に応じて当該メモリユニット１２６の管理データに必要な処理を施して記録出力する。
【００７０】
すなわち、図８に示すように、システムコントローラ１２３は、機器管理者専用画面の表示開始であるかをチェックする（ステップＳ１０１）。すなわち、操作者（機器管理者）が操作部１１０のテンキー１１２で予め設定されている暗証番号を入力すると、当該暗証番号の入力を、システムコントローラ１２３が内部プログラムに基づいて検知し、機器管理者専用画面の表示開始であると認識する。
【００７１】
ステップＳ１０１で、システムコントローラ１２３は、機器管理者専用画面の表示開始であると、操作部１１０の液晶タッチパネル１１１に、例えば、図２に示したような機器管理者専用画面を表示し、データ収集及び保存指示されたか、あるいは、グラフ作成及び印字指示されたかをチェックする（ステップＳ１０２、Ｓ１０３）。この図２の機器管理者専用画面では、「データ収集及び保存をする場合、下のボタンを押下せよ。」とのメッセージと「スタート」ボタン及び「次画面へ」ボタンが表示されている。
【００７２】
操作者が液晶タッチパネル１１１に表示されている「スタート」ボタン１１７を押下して、ステップＳ１０２で、当該「スタート」ボタン１１７の押下を検出すると、システムコントローラ１２３は、メモリユニット１２６に保存されている内部設定や機器動作条件、機器利用状態等を示す種々のパラメータのうち、管理データとなり得る所定のパラメータ群のそれぞれの現在値を管理データとして取得し（ステップＳ１０４）、取得した管理データをメモリユニット１２６内のストレージに、収集日時情報とともに、所定形式で保存する（ステップＳ１０５）。
【００７３】
システムコントローラ１２３は、管理データを保存すると、機器管理者専用画面の終了かチェックし（ステップＳ１０６）、機器管理者専用画面の終了でないときには、ステップＳ１０２に戻って、データ収集及び保存指示されたか、あるいは、グラフ作成及び印字指示されたかをチェックする（ステップＳ１０２、Ｓ１０３）。
【００７４】
ステップＳ１０２の図２に示した機器管理者専用画面で、操作者が「次画面へ」ボタンを押下すると、システムコントローラ１２３は、図９（ｃ）に示す「ＰＲＩＮＴ」ボタン（プリントキー）１１４の押下を促す機器管理者専用画面を液晶タッチパネル１１１に表示する。この機器管理者専用画面の表示に応じて、操作者が操作部１１０の「ＰＲＩＮＴ」ボタン（プリントキー）１１４を押下すると、システムコントローラ１２３は、上記メモリユニット１２６内のストレージに保存されている管理データの全てを読み出し（ステップＳ１０７）、当該読み出した管理データを使用して所定のグラフ形式、例えば、折れ線グラフ形式で、グラフ画像を作成、例えば、図１０に示すような折れ線グラフ形式でグラフ画像を画像メモリ１５０上に作成する（ステップＳ１０８）。システムコントローラ１２３は、グラフ画像を作成すると、作成したグラフ画像の画像データの画像メモリ１５０からの出力を指示し、このグラフ画像の複写モードの実行を制御して、転写紙７１に記録出力させる（ステップＳ１０９）。
【００７５】
システムコントローラ１２３は、グラフの記録出力を行うと、機器管理者専用画面の終了かチェックし（ステップＳ１０６）、機器管理者専用画面の終了でないときには、ステップＳ１０２に戻って、上記同様に処理し（ステップＳ１０２〜Ｓ１０９）、機器管理者専用画面の終了のときには、処理を終了する。
【００７６】
このように、本実施例のデジタル複写装置１は、操作部１１０の指示に応じて、内部設定や機器動作条件、機器利用状態を示す所定のパラメータ群の現在値を管理データとして収集して、当該収集した管理データを収集日時情報とともにメモリユニット１２６に保存し、操作部１１０の指示に応じて、メモリユニット１２６に保存した全ての管理データを、所定のグラフ形式（例えば、折れ線グラフ形式）で、各パラメータ毎の時系列変化を示すグラフ画像に変換して、当該グラフ画像を転写紙７１に記録出力する。
【００７７】
したがって、通信回線・ネットワーク接続を用いることなく、デジタル複写装置１内部の変化を明確にすることができ、デジタル複写装置１が単体で管理データを利用できるようにして、保守・管理の質及び効率を安価に向上させることができる。
【００７８】
なお、上記実施例においては、管理データを記録出力する規定のグラフ形式として、折れ線グラフ形式を使用しているが、規定のグラフ形式としては、折れ線グラフ形式に限るものではなく、例えば、棒グラフ形式、円グラフ形式等であってもよい。
【実施例２】
【００７９】
図１１は、本発明の画像形成装置の第２の実施の形態を示す図であり、本実施の形態は、請求項２に対応するものである。
【００８０】
なお、本実施例は、上記第１実施例のデジタル複写装置１と同様のデジタル複写装置に適用したものであり、本実施例の説明においては、必要に応じて、上記第１実施例の説明で用いた符号をそのまま用いて説明する。
【００８１】
本実施例のデジタル複写装置１は、管理データのうち、グラフ化する管理データを選択することができる。
【００８２】
すなわち、システムコントローラ１２３は、図１１に示すように、機器管理者専用画面の表示開始であるかをチェックする（ステップＳ２０１）。すなわち、操作者（機器管理者）が操作部１１０のテンキー１１２で予め設定されている暗証番号を入力すると、当該暗証番号の入力を、システムコントローラ１２３が内部プログラムに基づいて検知し、機器管理者専用画面の表示開始であると認識する。
【００８３】
ステップＳ２０１で、システムコントローラ１２３は、機器管理者専用画面の表示開始であると、操作部１１０の液晶タッチパネル１１１に、例えば、図２に示したような機器管理者専用画面を表示し、データ収集及び保存指示されたか、あるいは、グラフ作成及び印字指示されたかをチェックする（ステップＳ２０２、Ｓ２０３）。この図２の機器管理者専用画面では、「データ収集及び保存をする場合、下のボタンを押下せよ。」とのメッセージと「スタート」ボタン及び「次画面へ」ボタンが表示されている。
【００８４】
操作者が液晶タッチパネル１１１に表示されている「スタート」ボタン１１７を押下して、ステップＳ２０２で、当該「スタート」ボタン１１７の押下を検出すると、システムコントローラ１２３は、メモリユニット１２６に保存されている内部設定や機器動作条件、機器利用状態等を示す種々のパラメータのうち、管理データとなり得る所定のパラメータ群のそれぞれの現在値を管理データとして取得し（ステップＳ２０４）、取得した管理データをメモリユニット１２６内のストレージに、収集日時情報とともに、所定形式で保存する（ステップＳ２０５）。
【００８５】
システムコントローラ１２３は、管理データを保存すると、機器管理者専用画面の終了かチェックし（ステップＳ２０６）、機器管理者専用画面の終了でないときには、ステップＳ２０２に戻って、データ収集及び保存指示されたか、あるいは、グラフ作成及び印字指示されたかをチェックする（ステップＳ２０２、Ｓ２０３）。
【００８６】
ステップＳ２０２の図２に示した機器管理者専用画面で、操作者が「次画面へ」ボタンを押下すると、システムコントローラ１２３は、図９（ａ）に示すグラフ化するデータの選択を行わせる機器管理者専用画面を液晶タッチパネル１１１に表示する。この機器管理者専用画面の表示に応じて、操作者がグラフ化するデータを液晶タッチパネル１１１をタッチ操作して選択した後、あるいは、データ選択を行うことなく、「次画面へ」ボタンを押下すると、システムコントローラ１２３は、図９（ｂ）に示すグラフ化するパラメータの選択を行わせる機器管理者専用画面を液晶タッチパネル１１１に表示する。ここで、操作者がグラフ化するパラメータを液晶タッチパネル１１１をタッチ操作して選択した後、あるいは、選択操作を行うことなく、操作部１１０の「ＰＲＩＮＴ」ボタン（プリントキー）１１４を押下すると、データ抽出指示があったか否かを上記図９（ａ）、（ｂ）の機器管理者専用画面での操作に応じて判断し（ステップＳ２０７）、データ抽出指示があると、上記メモリユニット１２６内のストレージに保存されている管理データのうち、上記操作者が選択した条件に合致するものだけを抽出して読み出す（ステップＳ２０８）。
【００８７】
また、ステップＳ２０７で、データ抽出の指示がないときには、システムコントローラ１２３は、上記メモリユニット１２６内のストレージに保存されている管理データの全てを読み出す（ステップＳ２０９）。
【００８８】
システムコントローラ１２３は、当該読み出した管理データを使用して、所定のグラフ形式、例えば、図１０に示したような折れ線グラフ形式でグラフ画像を画像メモリ１５０上に作成し（ステップＳ２１０）、グラフ画像を作成すると、作成したグラフ画像の画像データの画像メモリ１５０からの出力を指示して、このグラフ画像の複写モードの実行を制御して、転写紙７１に記録出力させる（ステップＳ２１１）。
【００８９】
システムコントローラ１２３は、グラフの記録出力を行うと、機器管理者専用画面の終了かチェックし（ステップＳ２０６）、機器管理者専用画面の終了でないときには、ステップＳ１０２に戻って、上記同様に処理し（ステップＳ２０２〜Ｓ２１１）、機器管理者専用画面の終了のときには、処理を終了する。
【００９０】
このように、本実施例のデジタル複写装置１は、メモリユニット１２６に収集保存した管理データのうち、操作部１１０で指定された抽出条件に応じた管理データを抽出し、当該抽出した管理データのみをグラフ画像に変換して、当該グラフ画像を転写紙７１に記録出力する。
【００９１】
したがって、グラフ化する管理データとして必要最小限の管理データのみ抽出して、個々のデジタル複写装置１の特性に応じたデータ収集を行うことができ、保守・管理に対する管理データとしての有効性を高めることができるとともに、保守・管理の質及び効率をより一層安価に向上させることができる。
【実施例３】
【００９２】
図１２及び図１３は、本発明の画像形成装置の第３の実施の形態を示す図であり、本実施の形態は、請求項３に対応するものである。
【００９３】
なお、本実施例は、上記第１実施例のデジタル複写装置１と同様のデジタル複写装置に適用したものであり、本実施例の説明においては、必要に応じて、上記第１実施例の説明で用いた符号をそのまま用いて説明する。
【００９４】
本実施例のデジタル複写装置１は、管理データのうち、グラフ化する管理データを選択し、また、グラフ形式を選択することができる。
【００９５】
すなわち、システムコントローラ１２３は、図１２に示すように、機器管理者専用画面の表示開始であるかをチェックする（ステップＳ３０１）。すなわち、操作者（機器管理者）が操作部１１０のテンキー１１２で予め設定されている暗証番号を入力すると、当該暗証番号の入力を、システムコントローラ１２３が内部プログラムに基づいて検知し、機器管理者専用画面の表示開始であると認識する。
【００９６】
ステップＳ３０１で、システムコントローラ１２３は、機器管理者専用画面の表示開始であると、操作部１１０の液晶タッチパネル１１１に、例えば、図２に示したような機器管理者専用画面を表示し、データ収集及び保存指示されたか、あるいは、グラフ作成及び印字指示されたかをチェックする（ステップＳ３０２、Ｓ３０３）。この図２の機器管理者専用画面では、「データ収集及び保存をする場合、下のボタンを押下せよ。」とのメッセージと「スタート」ボタン及び「次画面へ」ボタンが表示されている。
【００９７】
操作者が液晶タッチパネル１１１に表示されている「スタート」ボタン１１７を押下して、ステップＳ３０２で、当該「スタート」ボタン１１７の押下を検出すると、システムコントローラ１２３は、メモリユニット１２６に保存されている内部設定や機器動作条件、機器利用状態等を示す種々のパラメータのうち、管理データとなり得る所定のパラメータ群のそれぞれの現在値を管理データとして取得し（ステップＳ３０４）、取得した管理データをメモリユニット１２６内のストレージに、収集日時情報とともに、所定形式で保存する（ステップＳ３０５）。
【００９８】
システムコントローラ１２３は、管理データを保存すると、機器管理者専用画面の終了かチェックし（ステップＳ３０６）、機器管理者専用画面の終了でないときには、ステップＳ３０２に戻って、データ収集及び保存指示されたか、あるいは、グラフ作成及び印字指示されたかをチェックする（ステップＳ３０２、Ｓ３０３）。
【００９９】
ステップＳ３０２の図２に示した機器管理者専用画面で、操作者が「次画面へ」ボタンを押下すると、システムコントローラ１２３は、図９（ａ）に示すグラフ化する管理データの選択を行わせる機器管理者専用画面を液晶タッチパネル１１１に表示する。この機器管理者専用画面の表示に応じて、操作者がグラフ化する管理データを液晶タッチパネル１１１をタッチ操作して選択した後、あるいは、データ選択を行うことなく、「次画面へ」ボタンを押下すると、システムコントローラ１２３は、図９（ｂ）に示すグラフ化するパラメータの選択を行わせる機器管理者専用画面を液晶タッチパネル１１１に表示する。ここで、操作者がグラフ化するパラメータを液晶タッチパネル１１１をタッチ操作して選択した後、あるいは、選択操作を行うことなく、「次画面へ」ボタンを押下すると、図９（ｃ）に示すグラフの種類を選択させる機器管理者専用画面を液晶タッチパネル１１１に表示し、ここで、操作者が、グラフの種類の選択を行った後、あるいは、選択操作を行うことなく、操作部１１０の「ＰＲＩＮＴ」ボタン（プリントキー）１１４を押下すると、データ抽出指示があったか否かを上記図９（ａ）、（ｂ）の機器管理者専用画面での操作に応じて判断し（ステップＳ３０７）、データ抽出指示があると、上記メモリユニット１２６内のストレージに保存されている管理データのうち、上記操作者が選択した条件に合致するものだけを抽出して読み出す（ステップＳ３０８）。
【０１００】
また、ステップＳ３０７で、データ抽出の指示がないときには、システムコントローラ１２３は、上記メモリユニット１２６内のストレージに保存されている管理データの全てを読み出す（ステップＳ３０９）。
【０１０１】
システムコントローラ１２３は、管理データの読み出しを行うと、図９（ｃ）の機器管理者専用画面でグラフの種類の指定があったかをチェックする（ステップＳ３１０）。ステップＳ３１０で、グラフの種類の指定があると、システムコントローラ１２３は、上記読み出した管理データを使用して、当該指定されたグラフ形式、例えば、棒グラフ形式が選択されていると、図１３に示すような棒グラフ形式でグラフ画像を画像メモリ１５０上に作成し（ステップＳ３１１）、ステップＳ３１０で、グラフの指定がないと、上記読み出した管理データを使用して、所定のグラフ形式、例えば、図１０に示したような折れ線グラフ形式でグラフ画像を画像メモリ１５０上に作成する（ステップＳ３１２）。
【０１０２】
システムコントローラ１２３は、グラフ画像を作成すると、作成したグラフ画像の画像データの画像メモリ１５０からの出力を指示して、このグラフ画像の複写モードの実行を制御して、転写紙７１に記録出力させる（ステップＳ３１３）。
【０１０３】
システムコントローラ１２３は、グラフの記録出力を行うと、機器管理者専用画面の終了かチェックし（ステップＳ３０６）、機器管理者専用画面の終了でないときには、ステップＳ３０２に戻って、上記同様に処理し（ステップＳ３０２〜Ｓ３１３）、機器管理者専用画面の終了のときには、処理を終了する。
【０１０４】
このように、本実施例のデジタル複写装置１は、管理データを操作部１１０で指定されたグラフ形式でグラフ画像に変換して、当該グラフ画像を転写紙７１に記録出力する。
【０１０５】
したがって、個々の管理データの特性に応じたグラフ化を行うことができ、保守・管理に対する管理データとしての有効性を高めることができるとともに、保守・管理の質及び効率をより一層向上させることができる。
【０１０６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１０７】
複写装置、ファクシミリ装置、プリンタ等の機器の管理データを機器自体で収集して必要なグラフ形式で記録出力して、管理を効率的に行う画像形成装置に適用することができる。
【図面の簡単な説明】
【０１０８】
【図１】本発明の画像形成装置の第１実施例の画像形成装置を適用したデジタル複写装置の正面概略構成図。
【図２】図１のデジタル複写装置の操作部の平面図。
【図３】図２の操作部の液晶タッチパネルの表示の一例を示す図。
【図４】図１のデジタル複写装置の要部回路ブロック構成図。
【図５】図１のデジタル複写装置の回路ブロックの他の例を示す図。
【図６】図１のデジタル複写装置の画像処理部の回路ブロック構成図。
【図７】図６のメモリコントローラと画像メモリの詳細な回路ブロック構成図。
【図８】図１のデジタル複写装置による管理データ管理制御処理を示すフローチャート。
【図９】図８の管理データ管理制御処理で操作部の液晶タッチパネルに表示される機器管理者専用画面の一例を示す図。
【図１０】図８の管理データ管理制御処理で記録出力される管理データの折れ線グラフの一例を示す図。
【図１１】本発明の画像形成装置の第２実施例の画像形成装置を適用したデジタル複写装置による管理データ管理制御処理を示すフローチャート。
【図１２】本発明の画像形成装置の第３実施例の画像形成装置を適用したデジタル複写装置による管理データ管理制御処理を示すフローチャート。
【図１３】図１２の管理データ管理制御処理で記録出力される管理データの棒線グラフの一例を示す図。
【符号の説明】
【０１０９】
１  デジタル複写装置
１０  本体筐体
２０  ＡＤＦ
２１  原稿台
２２  給送ローラ
２３  給送ベルト
２４  排送ローラ
２５  原稿セット検知センサ
３０  読取ユニット
３１  コンタクトガラス
３２  露光ランプ
３３  第１ミラー
３４  第２ミラー
３５  第３ミラー
３６  レンズ
３７  ＣＣＤイメージセンサ
４０  書込ユニット
４１  レーザ出力部
４２  結像レンズ
４３  ミラー
５０  画像形成ユニット
５１  感光体
５２  現像部
５３  搬送ベルト
５４  定着部
５５  排紙部
６０  用紙搬送ユニット
７０  給紙ユニット
７１  転写紙
７２〜７４  給紙トレイ
７５〜７７  送出部
８０  両面給紙ユニット
８１  両面入紙搬送路
８２  反転部
８３  両面搬送路
９０  フィニッシャー
９１  分岐偏向板
９２  排紙搬送ローラ
９３  送り出しローラ
９４  排紙トレイ
９５  ステープラ搬送ローラ
９６  ステープラ
９７  ステープラ送り出しローラ
９８  ステープルトレイ
９９  ジョガー
１００  ステープル完了排紙トレイ
１１０  操作部
１１１  液晶タッチパネル
１１２  テンキー
１１３  クリア／ストップキー
１１４  プリントキー
１１５  モードクリアキー
１１６  初期設定キー
１１７  機能キー
１２１  画像読取部
１２１ａ  ＣＰＵ
１２２  画像書込部
１２２ａ  ＣＰＵ
１２３  システムコントローラ
１２３ａ  ＣＰＵ
１２４  時計部
１２５  遠隔診断部
１２６  メモリユニット
１２６ａ  圧縮ブロック
１２６ｂ  ＤＲＡＭブロック
１２６ｃ  ＤＭＡブロック
１２８ｄ  ＣＰＵ
１２９  データバス
１３０  システムバス
１４０  画像処理部
１４１  Ａ／Ｄコンバータ
１４２  シェーディング補正部
１４３  ＭＴＦ・γ補正部
１４４  印字合成部
１４５  セレクタ
１４６  印字合成部
１４７  変倍部
１４８  印字イメージデータ発生部
１４９  メモリコントローラ
１５０  画像メモリ
１５０ａ  １次記憶部
１５０ｂ  ２次記憶部
１５１  ＳＣＳＩドライバ
１５２  Ｉ／Ｏポート
１５３  ＣＰＵ
１５４  ＲＯＭ
１５５  ＲＡＭ
１６１  入力データセレクタ
１６２  画像合成部
１６３  １次圧縮／伸長部
１６４  出力データセレクタ
１６５  ２次圧縮／伸長部
【図１】
2005169923.tif 000003
【図２】
2005169923.tif 000004
【図３】
2005169923.tif 000005
【図４】
2005169923.tif 000006
【図５】
2005169923.tif 000007
【図６】
2005169923.tif 000008
【図７】
2005169923.tif 000009
【図８】
2005169923.tif 000010
【図９】
2005169923.tif 000011
【図１０】
2005169923.tif 000012
【図１１】
2005169923.tif 000013
【図１２】
2005169923.tif 000014
【図１３】
2005169923.tif 000015